(57)【要約】【課題】  本発明は、ＲＦＩＤラベルから非接触ＩＣ回路を容易に取り外すことができ、高価な非接触ＩＣ回路を再利用することができるＲＦＩＤタグおよびＲＦＩＤラベルを提供することを課題とする。【解決手段】  非接触ＩＣ回路が実装されたシート基材１３と、シート基材１３の一方面に塗布された粘着剤１４と、シート基材１３の他方面に塗布された剥離剤１５とでＲＦＩＤタグ１を構成することにより、通常ラベルに塗布された剥離剤上に貼付することでＲＦＩＤラベルとして用いることができると共に、ＲＦＩＤラベルからＲＦＩＤタグ１を簡単に剥離することができる。【選択図】        図１
2007065088.tif 000002
【特許請求の範囲】
【請求項１】
ＩＣチップおよび当該ＩＣチップに接続されたアンテナからなる非接触ＩＣ回路が実装されたＲＦＩＤタグであって、
前記非接触ＩＣ回路が実装されたシート基材と、
該シート基材の一方面に塗布された粘着剤と、
前記シート基材の他方面に塗布された剥離剤とを具備することを特徴とするＲＦＩＤタグ。
【請求項２】
前記シート基材と前記粘着剤との間に水分によって溶ける水溶層が形成されていることを特徴とする請求項１記載のＲＦＩＤタグ。
【請求項３】
少なくとも基材と当該基材の一方面に塗布された粘着剤とからなる通常ラベルに請求項１又は２記載のＲＦＩＤタグが貼付されたＲＦＩＤラベルであって、
前記通常ラベルの前記ＲＦＩＤタグが貼付される貼付領域には、剥離剤が塗布されていることを特徴とするＲＦＩＤラベル。
【請求項４】
前記貼付領域のみに剥離剤が塗布されていることを特徴とする請求項３記載のＲＦＩＤラベル。
【請求項５】
前記ＲＦＩＤタグの粘着剤には、前記ＲＦＩＤラベルの粘着剤より強い粘着力を有する粘着剤が用いられていることを特徴とする請求項３又は４記載のＲＦＩＤラベル。
【発明の詳細な説明】
【技術分野】
【０００１】
本発明は、ＩＣチップおよび当該ＩＣチップに接続されたアンテナからなる非接触ＩＣ回路が内蔵されたＲＦＩＤタグおよびＲＦＩＤラベルに関し、特に内蔵された非接触ＩＣ回路を再利用することができるＲＦＩＤタグおよびＲＦＩＤラベルに関する。
【背景技術】
【０００２】
近年、ラベルが貼付されている商品のセキュリティ強化、あるいは、大きさの関係でラベルの表面に表示できない商品の属性等の情報量不足を補う目的で、ＩＣチップおよび当該ＩＣチップに接続されたアンテナからなる非接触ＩＣ回路が内蔵されたＲＦＩＤラベルが用いられており、このようなＲＦＩＤラベルにあっては、ＲＦＩＤラベルを所定の移送路に移送する課程において、ＲＦＩＤラベルの表面に所定の表示情報を印字するとともに、不足した情報をＲＦＩＤラベルの非接触ＩＣ回路に記憶させて商品情報の充実を図っている（例えば、特許文献１、特許文献２参照）。
【０００３】
しかしながら、従来技術では、非接触ＩＣ回路は、シート基材に実装され、インレットと呼称される部材としてＲＦＩＤラベルに内蔵されているが、ＲＦＩＤラベルからインレットを簡単に取り外すことができず、高価な非接触ＩＣ回路がＲＦＩＤラベルと共に使い捨てされているという問題点があった。
【特許文献１】特開２００４−３７５７６号公報
【特許文献２】特開２００１−５９３１号公報
【発明の開示】
【発明が解決しようとする課題】
【０００４】
本発明は斯かる問題点に鑑みてなされたものであり、その目的とするところは、ＲＦＩＤラベルから非接触ＩＣ回路を容易に取り外すことができ、高価な非接触ＩＣ回路を再利用することができるＲＦＩＤタグおよびＲＦＩＤラベルを提供する点にある。
【課題を解決するための手段】
【０００５】
本発明は上記課題を解決すべく、以下に掲げる構成とした。
請求項１記載の発明の要旨は、ＩＣチップおよび当該ＩＣチップに接続されたアンテナからなる非接触ＩＣ回路が実装されたＲＦＩＤタグであって、前記非接触ＩＣ回路が実装されたシート基材と、該シート基材の一方面に塗布された粘着剤と、前記シート基材の他方面に塗布された剥離剤とを具備することを特徴とするＲＦＩＤタグに存する。
また請求項２記載の発明の要旨は、前記シート基材と前記粘着剤との間に水分によって溶ける水溶層が形成されていることを特徴とする請求項１記載のＲＦＩＤタグに存する。
また請求項３記載の発明の要旨は、少なくとも基材と当該基材の一方面に塗布された粘着剤とからなる通常ラベルに請求項１又は２記載のＲＦＩＤタグが貼付されたＲＦＩＤラベルであって、前記通常ラベルの前記ＲＦＩＤタグが貼付される貼付領域には、剥離剤が塗布されていることを特徴とするＲＦＩＤラベルに存する。
また請求項４記載の発明の要旨は、前記貼付領域のみに剥離剤が塗布されていることを特徴とする請求項３記載のＲＦＩＤラベルに存する。
また請求項５記載の発明の要旨は、前記ＲＦＩＤタグの粘着剤には、前記ＲＦＩＤラベルの粘着剤より強い粘着力を有する粘着剤が用いられていることを特徴とする請求項３又は４記載のＲＦＩＤラベルに存する。
【発明の効果】
【０００６】
本発明のＲＦＩＤタグおよびＲＦＩＤラベルは、非接触ＩＣ回路が実装されたシート基材と、シート基材の一方面に塗布された粘着剤と、シート基材の他方面に塗布された剥離剤とでＲＦＩＤタグを構成することにより、通常ラベルに塗布された剥離剤上に貼付することでＲＦＩＤラベルとして用いることができると共に、ＲＦＩＤラベルからＲＦＩＤタグを簡単に剥離することができるため、ＲＦＩＤラベルから非接触ＩＣ回路を容易に取り外すことができ、高価な非接触ＩＣ回路を再利用することができるという効果を奏する。
【発明を実施するための最良の形態】
【０００７】
以下、本発明の実施の形態を図面に基づいて詳細に説明する。
【０００８】
（第１の実施の形態）
図１は、本発明に係るＲＦＩＤタグの第１の実施の形態の構成を示す図であり、（ａ）は、斜視図であり、（ｂ）は、（ａ）に示すＡ−Ａ’断面図である。図２は、図１に示すＲＦＩＤタグが貼付されたＲＦＩＤラベルの構成を示す断面図および平面図である。
【０００９】
第１の実施の形態のＲＦＩＤタグ１は、図１を参照すると、ＩＣチップ１１および当該ＩＣチップ１１に接続されたアンテナ１２からなる非接触ＩＣ回路が、表面もしくは内部に実装されているフィルム等のシート基材１３と、シート基材１３の一方面に塗布された粘着剤１４と、シート基材１３の他方面に塗布されたシリコーン樹脂等の剥離剤１５とで構成される。なお、非接触ＩＣ回路とは、電波を用いて無線（非接触）で情報通信が可能な手段であり、無線ＩＣ回路等の他の呼称で表される場合もあるが、本発明では、代表して非接触ＩＣ回路と表現する。
【００１０】
シート基材１３には、非接触ＩＣ回路が実装される関係上、所謂コシの強い素材が採用され、粘着剤１４には、貼って剥がせる再剥離粘着剤ではなく、強粘着タイプのものが採用される。
【００１１】
ＲＦＩＤタグ１は、商品に貼付する商品ラベル等のラベルに貼付して用いられる。以下、ＲＦＩＤタグ１が貼付されるラベルを通常ラベル２と称し、ＲＦＩＤタグ１が貼付されている通常ラベル２をＲＦＩＤラベル３と称す。
【００１２】
通常ラベル２としては、図２（ａ）に示すように、基材２１と、基材２１の一方面に塗布された粘着剤２２と、基材２１の他方面に塗布された剥離剤２３とで構成された台紙なしラベルが用いられ、ＲＦＩＤタグ１は、粘着剤１４によって基材２１の剥離剤２３上に貼付される。ＲＦＩＤタグ１には、剥離剤１５が塗布されているため、ＲＦＩＤラベル３、すなわちＲＦＩＤタグ１が貼付された台紙なしラベルをロール形状にすることが可能になる。なお、ＲＦＩＤラベル３をロール形状にする場合には、ＲＦＩＤタグ１の粘着剤１４として、通常ラベル２の粘着剤２２よりも強い粘着力を有するものを使用すると、通常ラベル２の粘着剤２２の粘着力によってＲＦＩＤタグ１が剥離されることがないため好適である。
【００１３】
また、通常ラベル２としては、図２（ｂ）に示すように、基材２１と、基材２１の一方面に塗布された粘着剤２２と、基材２１の他方面の一部に、ＲＦＩＤタグ１の形状と略同一形状に塗布された剥離剤２３と、粘着剤２２に仮着された台紙２４とで構成された台紙つきラベルも用いることができ、剥離剤２３が塗布された領域がＲＦＩＤタグ１の貼付領域となり、当該貼付領域にＲＦＩＤタグ１が貼付される。
【００１４】
ＲＦＩＤラベル３においては、図２（ａ）〜（ｃ）に示すように、ＲＦＩＤタグ１が貼付されていない場所（台紙なしラベルの場合には、剥離剤２３上、台紙つきラベルの場合には、基材２１の他方面）が商品名やバーコードが印字される表示部として使用されるが、ＲＦＩＤタグ１の剥離剤１５上も表示部として使用するようにしても良い。
【００１５】
次に、上述のＲＦＩＤタグ１が貼付されたＲＦＩＤラベル３の使用方法について説明する。
【００１６】
（第１の使用方法）
まず、メーカーや問屋において、商品情報や物流情報等の商品管理情報をＲＦＩＤラベル３、すなわち商品管理情報を通常ラベル２に貼付されたＲＦＩＤタグ１の非接触ＩＣ回路に記憶させた状態で商品に貼付し、ＲＦＩＤラベル３が貼付された商品を小売店に納品する。商品が納入された小売店のバックヤードでは、棚卸しおよび在庫管理としてＲＦＩＤラベル３、すなわちＲＦＩＤタグ１の非接触ＩＣ回路に記憶されている商品管理情報を利用する。商品を店頭に陳列する際には、通常ラベル２からＲＦＩＤタグ１を剥離すると共に、他のラベル（値札ラベルや値下げラベル）を発行して、通常ラベル２のＲＦＩＤタグ１が貼付されていた箇所に貼着して商品を店頭に陳列する。
【００１７】
回収したＲＦＩＤタグ１は、回収保管用の被着体（剥離剤が塗布されたボード等）に貼り付けることにより、管理を容易に行うことができ、非接触ＩＣ回路に記憶されている商品管理情報を読みとり後、非接触ＩＣ回路に記憶された内容をリセットすることで、再利用することができる。
【００１８】
（第２の使用方法）
まず、メーカーや問屋において、通常ラベル２を商品に貼付し、通常ラベル２が貼付された商品を小売店に納品する。商品が納入された小売店のバックヤードでは、非接触ＩＣ回路に商品情報や物流情報等の商品管理情報を記憶させたＲＦＩＤタグ１を商品に貼付されている通常ラベル２に貼付し、棚卸しおよび在庫管理としてＲＦＩＤラベル３、すなわちＲＦＩＤタグ１の非接触ＩＣ回路に記憶されている商品管理情報を利用する。商品を店頭に陳列する際には、通常ラベル２からＲＦＩＤタグ１を剥離すると共に、他のラベル（値札ラベルや値下げラベル）を発行して、通常ラベル２のＲＦＩＤタグ１が貼付されていた箇所に貼着して商品を店頭に陳列する。
【００１９】
回収したＲＦＩＤタグ１は、回収保管用の被着体（剥離剤が塗布されたボード等）に貼り付けることにより、管理を容易に行うことができ、非接触ＩＣ回路に記憶されている商品管理情報を読みとり後、非接触ＩＣ回路に記憶された内容をリセットすることで、再利用することができる。
【００２０】
（第２の実施の形態）
図３は、本発明に係るＲＦＩＤタグの第２の実施の形態の構成を示す斜視図および断面図である。
【００２１】
第２の実施の形態のＲＦＩＤタグ４は、図３を参照すると、ＩＣチップ１１および当該ＩＣチップ１１に接続されたアンテナ１２からなる非接触ＩＣ回路が、表面もしくは内部に実装されているフィルム等のシート基材１３と、シート基材１３の一方面に形成された水溶層１６と、水溶層１６上に塗布された粘着剤１４と、シート基材１３の他方面に塗布されたシリコーン樹脂等の剥離剤１５とで構成され、水溶層１６を溶解させることにより、粘着剤１４によって貼着されている通常ラベル２からシート基材１３を回収できるようになっている。
【００２２】
水溶層１６は、水分によって溶ける層であり、天然ポリマーであるコーンスターチ等のでんぷんやデキストラン等の微生物粘質物、半合成ポリマーである酸化でんぷんや変質でんぷん、合成ポリマーであるポリアクリル酸やポリエチレンオキシドやポリビニルアルコール等を単一又は混合して用いることができる。
【００２３】
ＲＦＩＤタグ４の外周側面から水分を吸収させることにより、水溶層１６を徐々に溶解させることができる。水溶層１６が完全に溶解されるとシート基材１３が粘着剤１４から剥離され、シート基材１３、すなわち非接触ＩＣ回路を回収することができる。回収されたシート基材１３の裏面には、水溶層１６が完全に溶解され、且つ粘着剤１４が剥離されて残っていないため、リサイクルしやすいという利点がある。
【００２４】
以上説明したように、本実施の形態によれば、非接触ＩＣ回路が実装されたシート基材１３と、シート基材１３の一方面に塗布された粘着剤１４と、シート基材１３の他方面に塗布された剥離剤１５とでＲＦＩＤタグ１を構成することにより、通常ラベル２に塗布された剥離剤２３上に貼付することでＲＦＩＤラベル３として用いることができると共に、ＲＦＩＤラベル３からＲＦＩＤタグ１を簡単に剥離することができるため、ＲＦＩＤラベル３から非接触ＩＣ回路を容易に取り外すことができ、高価な非接触ＩＣ回路を再利用することができるという効果を奏する。
【００２５】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【図面の簡単な説明】
【００２６】
【図１】本発明に係るＲＦＩＤタグの第１の実施の形態の構成を示す図であり、（ａ）は、斜視図であり、（ｂ）は、（ａ）に示すＡ−Ａ’断面図である。
【図２】図１に示すＲＦＩＤタグが貼付されたＲＦＩＤラベルの構成を示す断面図および平面図である。
【図３】本発明に係るＲＦＩＤタグの第２の実施の形態の構成を示す図であり、（ａ）は、斜視図であり、（ｂ）は、（ａ）に示すＢ−Ｂ’断面図である。
【符号の説明】
【００２７】
１  ＲＦＩＤタグ（第１の実施の形態）
２  通常ラベル
３  ＲＦＩＤラベル
４  ＲＦＩＤタグ（第２の実施の形態）
１１  ＩＣチップ
１２  アンテナ
１３  シート基材
１４  粘着剤
１５  剥離剤
１６  水溶層
２１  基材
２２  粘着剤
２３  剥離剤
２４  台紙
【図１】
2007065088.tif 000003
【図２】
2007065088.tif 000004
【図３】
2007065088.tif 000005